(57)【要約】  【課題】  複数のスプライス部を一括して絶縁処理する。  【解決手段】  電線の絶縁被覆を剥離して芯線を露出させ、この露出させた芯線同士を溶接あるいは圧着端子でかしめて接続しているスプライス部の絶縁保持構造であって、  帯状の巻付シート部と、該巻付シート部の一面側に長さ方向に間隔をあけて突設する複数の舌片とを備えた絶縁樹脂製の可撓性を有する絶縁保持カバーを設けておき、ワイヤハーネスを構成する電線群に形成されている複数の前記スプライス部を電線長手方向の所定区間内に集め、１個のスプライス部を前記絶縁保持カバーの１個の舌片と巻付シートとの間に挟み込んで、前記所定区間内に集めた複数のスプライス部を前記絶縁保持カバーで絶縁保持し、該状態で絶縁保持カバーを他の電線群の外周に巻き付けている。  【選択図】  図５
2005302389.tif 000002
【特許請求の範囲】
【請求項１】
電線の絶縁被覆を剥離して芯線を露出させ、この露出させた芯線同士を溶接あるいは圧着端子でかしめて接続しているスプライス部の絶縁保持構造であって、
帯状の巻付シート部と、該巻付シート部の一面側に長さ方向に間隔をあけて突設する複数の舌片とを備えた絶縁樹脂製の可撓性を有する絶縁保持カバーを設けておき、
ワイヤハーネスを構成する電線群に形成されている複数の前記スプライス部を電線長手方向の所定区間内に集め、１個のスプライス部を前記絶縁保持カバーの１個の舌片と巻付シートとの間に挟み込んで、前記所定区間内に集めた複数のスプライス部を前記絶縁保持カバーで絶縁保持し、該状態で絶縁保持カバーを他の電線群の外周に巻き付けていることを特徴とするスプライス部の絶縁保持構造。
【請求項２】
前記絶縁保持カバーの巻付シートの他面には粘着剤が塗布されていると共にその表面に剥離紙が貼着され、該絶縁保持カバーの巻き付け状態で前記粘着剤が電線群および先巻き付け部分に粘着されて巻き付け状態が保持されている請求項１に記載のスプライス部の絶縁保持構造。
【請求項３】
前記巻き付けられた絶縁保持カバーの外周面に粘着テープが巻き付けられて、巻き付け状態が固定されている請求項１または請求項２に記載のスプライス部の絶縁保持構造。
【発明の詳細な説明】
【技術分野】
【０００１】
本発明は、自動車に配索されるワイヤハーネスのスプライス部の絶縁保持構造に関し、特に、複数のスプライス部を１つの絶縁保持カバーにより絶縁保持でき、スプライス部を同一箇所に集められるようにするものである。
【背景技術】
【０００２】
自動車に配索されるワイヤハーネスでは、電線同士の分岐接続を図るために多数の箇所でスプライス部が形成されている。
該スプライス部は、例えば、図７に示すように、まず（Ａ）に示すように、電線Ｗ１の中間部分の絶縁被覆を剥離して芯線Ｗ１ａを露出させておく一方、電線Ｗ２の端末の絶縁被覆を剥離して芯線Ｗ２ａを露出させる。ついで、（Ｂ）に示すように芯線Ｗ１ａとＷ２ａとを重ねて中間圧着端子２をかしめ圧着してスプライス部Ｓを形成する。なお、中間圧着端子でかしめ圧着する代わりに、超音波溶接、抵抗溶接等の溶接で芯線Ｗ１ａとＷ２ａとを溶着してスプライス部を形成している場合も多い。ついで（Ｃ）に示すように、スプライス部Ｓに粘着テープ３を巻き付けて絶縁している。
【０００３】
また、スプライス部の絶縁方法としては、前記テープ巻きに代えて、本出願人は特開平８−１４８２００号公報（特許文献１）において、図８（Ａ）（Ｂ）に示すように、スプライス部を被覆する保護バンド５を設け、該保護バンド５のバンド５ａをスプライス部Ｓに巻き付けて係止部５ｂに通すことによりスプライス部Ｓの剛性を保持しながら絶縁している。
【０００４】
前記図７および図８のいずれの絶縁方法を採用した場合においても、これらスプライス部がワイヤハーネスとして集束する電線群に多数ある場合は、絶縁信頼性を確保するために、図９（Ａ）に示すように、同一箇所に配置せず、通常数十ｍｍ以上の間隔をあけて配置し、粘着テープ３で結束している。このことは、スプライス部Ｓの数が多くなった場合、所定の区間にスプライス部を設置できないという不具合が発生する。
また、多数のスプライス部をそれぞれテープ巻きして絶縁する、あるいは保護バンドで絶縁しているため作業手数もかかる問題がある。
【特許文献１】特開平８−１４８２００号公報
【発明の開示】
【発明が解決しようとする課題】
【０００５】
本発明は前記問題に鑑みてなされたもので、ワイヤハーネスを構成する電線群に複数のスプライス部がある場合、これらを一括して絶縁できると共に同一箇所に集めても確実の各スプライス部を絶縁保持できるようにすることを課題としている。
【課題を解決するための手段】
【０００６】
前記課題を解決するため、本発明は、電線の絶縁被覆を剥離して芯線を露出させ、この露出させた芯線同士を溶接あるいは圧着端子でかしめて接続しているスプライス部の絶縁保持構造であって、
帯状の巻付シート部と、該巻付シート部の一面側に長さ方向に間隔をあけて突設する複数の舌片とを備えた絶縁樹脂製の可撓性を有する絶縁保持カバーを設けておき、
ワイヤハーネスを構成する電線群に形成されている複数の前記スプライス部を電線長手方向の所定区間内に集め、１個のスプライス部を前記絶縁保持カバーの１個の舌片と巻付シートとの間に挟み込んで、前記所定区間内に集めた複数のスプライス部を前記絶縁保持カバーで絶縁保持し、該状態で絶縁保持カバーを他の電線群の外周に巻き付けていることを特徴とするスプライス部の絶縁保持構造を提供している。
【０００７】
前記した絶縁保持カバーは塩化ビニール等から連続材として形成し、スプライス部の個数に応じた舌部を有すると共に、巻き付けるワイヤハーネス径に応じて、その周長以上の長さを有するように切断して用いることが好ましい。
【０００８】
前記のように、巻付シートの表面に各スプライス部に被せて、巻付シートと共にスプライス部の全周を包みこむことができる舌部を設けておくと各スプライス部の絶縁保持を図ることができる。かつ、舌部によって他のスプライス部とは確実に絶縁されるため、巻付シートの長さ方向にそって並設した舌部を各スプライス部に被せていくことで、１つの絶縁保持カバーを用いて複数のスプライス部を絶縁保持していくことができると共に同一箇所に集めることができる。しかも、この絶縁保持カバーをスプライス部が無い他の電線群とも巻き付けることにより、ワイヤハーネスを構成する電線群の集束も同時に行うことができる。
このように、各スプライス部をそれぞれテープ巻き或いは保護バンドの締め付けで絶縁する必要はなく、同時に複数のスプライス部の絶縁保持を行うことができるため、作業手数を大幅に削減できる。
【０００９】
前記絶縁保持カバーの巻付シートの他面には粘着剤が塗布されていると共にその表面に剥離紙が貼着され、該絶縁保持カバーの巻き付け状態で前記粘着剤が電線群および先巻き付け部分に粘着されて巻き付け状態が保持される構成とすることが好ましい。
前記構成とすると、巻付シートが前記図７に示す粘着テープと同一の機能を有するため、ワイヤハーネスを構成する電線群を結束も同時に行うことができる。
【００１０】
あるいは、前記電線群に巻き付けられた絶縁保持カバーの外周面に粘着テープが巻き付けて、巻き付け状態を固定するようにしてもよく、この場合、外部干渉材に対するスプライス部の保護を確実なものとすることができる。
【発明の効果】
【００１１】
上述したように、本発明では、各スプライス部に被せて絶縁を図ることができる舌部を巻付シートに所要間隔をあけて並設した絶縁保持カバーを設けているため、複数のスプライス部を１つの前記絶縁保持カバーで同時に絶縁保持することができ、作業性が高められる。かつ、各スプライス部を確実に絶縁できることから同一箇所に集めることもでき、スプライス部の配置位置として最適な区間にスプライス部を集めることが可能となる。されに、スプライス部を備えた電線群の結束も行え、作業手数をより削減することができる。
【発明を実施するための最良の形態】
【００１２】
以下、本発明の実施形態を図面を参照して説明する。
図１（Ａ）（Ｂ）はスプライス部Ｓを絶縁保持するための絶縁樹脂製の絶縁保持カバー１０を示し、帯状の巻付シート部１０ａと、該巻付シート部１０ａの一面側に長さ方向に間隔をあけて突設する複数の舌片１０ｂとを一体成形で設けている。即ち、舌部１０ｂはその下端を巻付シート部１０ａと連続させて先端１０ｂ１をフリーとし、容易に撓むようにしている。図１（Ｂ）は巻付シート部１０ａに舌部１０ｂを沿わせた状態を示し、図１（Ａ）は巻付シート部１１ａから舌部１０ｂを上ちあげた状態を示す。
【００１３】
巻付シート部１０ａの厚さＴは電線群に容易に巻き付けられるように薄肉としている。幅Ｌ１は図２に電線のスプライス部Ｓの軸線方向の長さＬ２よりも大として、スプライス部Ｓの両側の電線群まで覆う長さとしている。また、舌部１０ｂの突出長さＬ３は最大径のスプライス部Ｓの外周長さ以上に設定し、該舌部１０ｂと巻付シート部１０ａとで１つのスプライス部Ｓを確実に包囲できる寸法としている。よって、巻付シート部１０ａに対して舌部１０ｂを略Ｌ３の間隔をあけて形成している。
【００１４】
前記絶縁保持カバー１０は連続材として成形しておき、絶縁保持するスプライス部の個数以上の舌部１０ｂを有すると共に、巻き付けるワイヤハーネスの周長以上の長さ位置で切断して用いている。
【００１５】
絶縁保持カバー１０で絶縁保持するスプライス部Ｓは従来と同様に、図２（Ａ）でしめす中間圧着端子Ｓで芯線Ｗ１ａとＷ２ａをかしめ圧着したスプライス部Ｓでもよいし、図２（Ｂ）に示す超音波溶接あるいは抵抗溶接したスプライス部Ｓでもよい。図２（Ｂ）では中間より芯線Ｗ１ａを露出させた電線Ｗ１に、端末から芯線Ｗ２ａ、Ｗ３ａを露出させた電線Ｗ２，Ｗ３との３本の電線をスプライス接続している。
【００１６】
絶縁保持カバー１０を用いてスプライス部Ｓを絶縁保持するワイヤハーネスでは、図３に示すように、軸線方向において略同一箇所に４つのスプライス部Ｓを集めている。
これらスプライス部Ｓに対して、図４に示すように、１つのスプライス部Ｓ１を巻付シート部１０ａと１つの舌部１０ｂとの間に挟みこんでいく。別のスプライス部Ｓ２を他の舌部１０ｂと巻付シート部１０ａとの間に挟みこみ、これを順次繰り返して、４つのスプライス部Ｓ１〜Ｓ４をそれぞれ１つの舌部１０ｂと巻付シート部１０ａとの間にはさみ込む。其の際、スプライス部Ｓ１〜Ｓ４を挟みこむ舌部１０ｂは必ずしも隣接させる必要はなく、１つ飛ばし、あるいは２つ飛ばしでスプライス部Ｓを挟みこんでもよい。
【００１７】
このように、１つの舌部１１ｂと巻付シート部１０ａとの間にはさまれた各スプライス部Ｓは、舌部１０ｂと巻付シート部１０ａとの間に完全に隠れるように密着包囲される。
【００１８】
全てのスプライス部Ｓを舌部１０ｂと巻付シート部１０ａとの間に被覆した状態で、スプライス部Ｓを備えた電線群とスプライス部Ｓを備えていない電線群とを共に、図５（Ａ）に示すように、巻付シート部１１ａを円形に巻回させ、ついで図５（Ｂ）に示すように、その外周に粘着テープ１３を巻き付けている。
前記粘着テープ１３の巻き付けにより、各舌部１０ｂは各スプライス部Ｓの外周面に密着されると共に、スプライス部Ｓを備えた電線群とスプライス部を備えていない電線群とが断面略円形に結束され、ワイヤハーネスＷ／Ｈが形成される。
【００１９】
前記構成によれば、１つの絶縁保持カバー１０で複数のスプライス部Ｓをそれぞれ絶縁保持できると共に、複数のスプライス部を同一箇所に集めても舌部１１ｂにより確実に隔離されるため絶縁信頼性も保持することできる。
【００２０】
図６は第２実施形態を示し、絶縁保持カバー１０’の巻付シート１０ａ’の裏面に粘着剤１５を塗布し、その表面に剥離紙１６を貼着しておき、使用時に剥離紙１６を剥がすようにしている。また、巻付シート部１０ａ’の長さは結束するワイヤハーネスの周長の２倍以上の長さとしている。
【００２１】
前記絶縁保持カバー１０’を用いると、各スプライス部を各舌部１０ｂ’と巻付シート部１０ａ’の間に挟んで被覆した後、剥離紙１６を剥がして、巻付シート部１１ａ’をスプライス部を被覆している舌部１０ｂ’を内周側として２周巻きする。
【００２２】
これにより、スプライス部Ｓを備えた電線群とスプライス部を備えていない他の電線群とが巻付シート部１０ａ’により結束固着できると共に、スプライス部を被覆した内周側の舌部１０ｂ’が外周に巻き付けられる巻付シート部１０ａ’により押圧されてスプライス部Ｓに密着保持できる。よって、第１実施形態の最終工程で巻き付ける粘着テープを不要とすることができる。
【図面の簡単な説明】
【００２３】
【図１】（Ａ）（Ｂ）は本発明の第１実施形態の絶縁保持カバーを示す斜視図である。
【図２】（Ａ）（Ｂ）はスプライス部を示す図面である。
【図３】スプライス部が同一箇所に集められた電線群を示す概略図である。
【図４】絶縁保持カバーによりスプライス部を絶縁被覆している状態を示す概略断面図である。
【図５】（Ａ）（Ｂ）はスプライス部を結束する工程を示す図面である。
【図６】第２実施形態の絶縁保持カバーを示す断面図である。
【図７】（Ａ）〜（Ｃ）は従来の電線のスプライス部の形成工程を示す図面である。
【図８】（Ａ）（Ｂ）は他の従来例を示す図面である。
【図９】従来の複数のスプライス部を備えたワイヤハーネスの形成工程を示す図面である。
【符号の説明】
【００２４】
１０  絶縁保持カバー
１０ａ  巻付シート部
１０ｂ  舌部
Ｓ    スプライス部
【図１】
2005302389.tif 000003
【図２】
2005302389.tif 000004
【図３】
2005302389.tif 000005
【図４】
2005302389.tif 000006
【図５】
2005302389.tif 000007
【図６】
2005302389.tif 000008
【図７】
2005302389.tif 000009
【図８】
2005302389.tif 000010
【図９】
2005302389.tif 000011